(57)【要約】【課題】ハーネスを電源ボックスに誤って接続することを防止することが可能な遊技機を提供すること。【解決手段】遊技機は、遊技に必要な機器に電力供給を行う電源ボックスが収容される遊技機筐体と、電源ボックスに接続され、電源ボックスに電力供給を行う外部電源に接続可能な電源コードと、を備える。そして、電源ボックスは、機器への電力供給が可能なハーネスと接続するコネクタと、コネクタを外部に露出させる露出位置と、コネクタを外部から遮蔽する遮蔽位置との間を移動可能なガードプレートと、ガードプレートの移動を制御する移動制御部と、を備え、移動制御部は、電源ボックスに電力供給が行われたときに、ガードプレートを、露出位置から遮蔽位置へ移動させる制御を行う。【選択図】図６
2018191685.tif 000002
【特許請求の範囲】
【請求項１】
遊技に必要な機器に電力供給を行う電源ボックスが収容される遊技機筐体と、
前記電源ボックスに接続され、前記電源ボックスに電力供給を行う外部電源に接続可能な電源コードと、を備える遊技機であって、
前記電源ボックスは、
前記機器への電力供給が可能なハーネスと接続するコネクタと、
前記コネクタを外部に露出させる露出位置と、前記コネクタを外部から遮蔽する遮蔽位置との間を移動可能なガードプレートと、
前記ガードプレートの移動を制御する移動制御部と、を備え、
前記移動制御部は、前記電源ボックスに電力供給が行われたときに、前記ガードプレートを、前記露出位置から前記遮蔽位置へ移動させる制御を行うことを特徴とする、遊技機。
【請求項２】
前記電源ボックスは、当該電源ボックスへの電力供給が行われたか否かを判断する判断部を更に備え、
前記移動制御部は、前記判断部により前記電源ボックスへの電力供給が行われたと判断されたことに基づいて、前記ガードプレートを前記露出位置から前記遮蔽位置へ移動させる制御を行うことを特徴とする、請求項１に記載の遊技機。
【請求項３】
前記電源ボックスは、
押下されることで当該電源ボックスへの電力供給を行うスイッチと、
前記スイッチが押下されることに伴って移動するトリガー部と、を更に備え、
前記トリガー部は、前記ガードプレートと連動可能に構成され、
前記移動制御部は、前記トリガー部の移動に連動して、前記ガードプレートを、前記露出位置から前記遮蔽位置へ移動させる制御を行うことを特徴とする、請求項１に記載の遊技機。
【請求項４】
前記ガードプレートは、前記移動制御部によって前記遮蔽位置に移動すると、前記コネクタと嵌合することにより、当該コネクタを外部から遮蔽することを特徴とする、請求項１乃至請求項３のいずれか１項に記載の遊技機。
【発明の詳細な説明】
【技術分野】
【０００１】
本発明は、電源ボックスにハーネスを接続することで各種装置に電力が供給される遊技機に関する。
【背景技術】
【０００２】
パチンコ機やパチスロ機などの従来の遊技機においては、電源基板を収納する電源ボックスにコネクタ露出口を形成し、このコネクタ露出口から電源基板側のコネクタを露出させ、この電源基板側のコネクタに、遊技機の各種装置と接続したハーネス側のコネクタを接続することで、ハーネスを介して遊技機の各種装置に電力を供給するようにしている。
【０００３】
ところで、上記した従来の遊技機では、不正を行う者が、電源ボックスのコネクタ露出口におけるコネクタ以外の部分から不正器具を挿入し、その先端を電源基板の配線面の配線部分に接触させ、遊技機を制御する制御基板等に誤動作を起こさせて、不正に利益を獲得する（例えばメダルや賞球を払い出させる）等の不正行為が行われることがある。このため、例えば、特許文献１では、ハーネス側のコネクタを覆うコネクタカバーの開口の外周において、コネクタ露出口の縁に板面で密着するフランジ部を形成することによって、制御基板等への不正アクセスを防止することを可能にしている。
【先行技術文献】
【特許文献】
【０００４】
【特許文献１】特開２００８−２２９１６８号公報
【発明の概要】
【発明が解決しようとする課題】
【０００５】
しかし、特許文献１に記載の従来のコネクタカバーでは、例えば、ハーネス側のコネクタを、電源が入っている状態のときの電源ボックス（コネクタ露出口）や、本来の電圧値よりも高い電力が供給される電源ボックス（コネクタ露出口）に誤って差し込むことを防止することができるものではない。このため、従来のコネクタカバーでは、誤ったハーネス側のコネクタの差し込みによって、ハーネスが電源ボックスに誤って接続され、これにより、電源ボックス自体を故障させてしまうことや、ハーネスを介して接続される遊技機の各種装置を故障させてしまうことがあった。
【０００６】
本発明は、このような状況に鑑みてなされたものであり、ハーネスを電源ボックスに誤って接続することを防止することが可能な遊技機を提供することを目的とする。
【課題を解決するための手段】
【０００７】
本発明は、上述の課題を解決するために、以下の構成を採用した。なお、括弧内の参照符号等は、本発明の理解を助けるために後述する実施形態との対応関係を示したものであって、本発明の範囲を何ら限定するものではない。
【０００８】
本発明の一態様である遊技機（１０）は、
遊技に必要な機器（４、５等）に電力供給を行う電源ボックス（３）が収容される遊技機筐体（１）と、
前記電源ボックスに接続され、前記電源ボックスに電力供給を行う外部電源に接続可能な電源コード（３４）と、を備える遊技機であって、
前記電源ボックスは、
前記機器への電力供給が可能なハーネス（４２）と接続するコネクタ（３２）と、
前記コネクタを外部に露出させる露出位置（例えば、図６（１）参照）と、前記コネクタを外部から遮蔽する遮蔽位置（例えば、図６（２）参照）との間を移動可能なガードプレート（７５）と、
前記ガードプレートの移動を制御する移動制御部（７、３０１）と、を備え、
前記移動制御部は、前記電源ボックスに電力供給が行われたときに、前記ガードプレートを、前記露出位置から前記遮蔽位置へ移動させる制御を行うことを特徴とする。
【０００９】
本構成によれば、電源ボックスに電力供給が行われたとき（電源ボックスの電源が入っている状態のとき）には、ガードプレートが露出位置から遮蔽位置に移動することによりコネクタが外部から遮蔽されるので、ハーネスをコネクタに接続することができなくなる。このため、電源ボックスの電源が入っている状態のときに誤ってハーネスをコネクタ（電源ボックス）に接続することを防止することができる。
【００１０】
また、
前記電源ボックスは、当該電源ボックスへの電力供給が行われたか否かを判断する判断部（３０１１）を更に備え、
前記移動制御部（３０１）は、前記判断部により前記電源ボックスへの電力供給が行われたと判断されたことに基づいて、前記ガードプレートを前記露出位置から前記遮蔽位置へ移動させる制御を行うことを特徴としてもよい。
【００１１】
本構成によれば、電源ボックスへの電力供給が行われたか否かが判断部によって判断されることで、ガードプレートが遮蔽位置に移動するので、より確実に、電源ボックスの電源が入っている状態のときに誤ってハーネスをコネクタに接続することを防止することができる。
【００１２】
また、
前記電源ボックスは、
押下されることで当該電源ボックスへの電力供給を行うスイッチ（３１）と、
前記スイッチが押下されることに伴って移動するトリガー部（６４）と、を更に備え、
前記トリガー部は、前記ガードプレートと連動可能に構成され、
前記移動制御部（７）は、前記トリガー部の移動に連動して、前記ガードプレートを、前記露出位置から前記遮蔽位置へ移動させる制御を行うことを特徴としてもよい。
【００１３】
本構成によれば、電源ボックスへの電力供給を行うスイッチが押下されると（つまり、電源ボックスの電源が入ると）トリガー部が移動し、トリガー部の移動に連動して、ガードプレートが露出位置から遮蔽位置へ移動するので、電源ボックスへの電力供給を行うスイッチを押下するだけで、機械的にガードプレートを遮蔽位置に移動させることができる。このため、より簡単に、電源ボックスの電源が入っている状態のときに誤ってハーネスをコネクタに接続することを防止することができる。
【００１４】
また、
前記ガードプレートは、前記移動制御部によって前記遮蔽位置に移動すると、前記コネクタと嵌合することにより、当該コネクタを外部から遮蔽することを特徴としてもよい。
【００１５】
本構成によれば、ガードプレートが遮蔽位置に移動するとコネクタと嵌合するので、ハーネスをコネクタに接続することが不可能となる。このため、より確実に、電源ボックスの電源が入っている状態のときに誤ってハーネスをコネクタに接続することを防止することができる。
【発明の効果】
【００１６】
本発明によれば、ハーネスを電源ボックスに誤って接続することを防止することが可能な遊技機を提供することができる。
【図面の簡単な説明】
【００１７】
【図１】本発明の実施形態に係る遊技機の背面構成の一例を示す概略図である。
【図２】本発明の実施形態に係る電源ボックスの一例を示す概略図である。
【図３】本発明の実施形態に係る電源側コネクタの一例を示す概略図である。
【図４】本発明の実施形態に係るガードプレートの制御機構の一例を示す分解斜視図である。
【図５】本発明の実施形態に係るガードプレートの制御機構の一例を示す分解斜視図である。
【図６】本発明の実施形態に係る露出位置と遮蔽位置の一例を説明するための図である。
【図７】本発明の実施形態において、ハーネスが接続された後に電源ボックスに電源が供給されたときのガードプレートの制御の一例を説明するための図である。
【図８】本発明の実施形態に係る複数のガードプレートの一例を示す概略図である。
【図９】本発明の変形例に係る電源ボックスの機能的構成の一例を示す機能ブロック図である。
【図１０】本発明の変形例に係る電源ボックスのＣＰＵが実行する、移動制御処理の一例を説明するフローチャートである。
【発明を実施するための形態】
【００１８】
以下、図面を参照して、本発明の実施形態に係る遊技機について説明する。
【００１９】
［遊技機の概略構成］
まず、図１を参照して、本発明の一実施形態に係る遊技機１０の概略構成について説明する。図１は、遊技機１０を背面側から見た背面構成の一例を示す概略図である。なお、本発明に係る遊技機１０は、例えば遊技者の操作により打ち出された遊技球が所定の始動口に入賞することで大当り抽選が始動し、当該大当り抽選に当選することで所定の特別入賞口が開放され、開放された特別入賞口に遊技球が入賞することで賞球が払い出されるように構成されたパチンコ遊技機である。
【００２０】
図１に示すように、遊技機１０を背面側から見た外観は、遊技機筐体としての筐体１と、筐体１の背面側に配置される背面扉２によって構成されている。なお、背面扉２は無く、筐体１は背面側に開放されているものとしてもよい。
【００２１】
筐体１の内部（遊技機１０の背面）には、電源ボックス３、メイン基板４、サブ基板５、および各種機器（不図示）が収容されている。電源ボックス３は、その内部に電源回路（不図示）を収納し、メイン基板４、サブ基板５、および各種機器に駆動電力を供給する。メイン基板４には、遊技機１０の大当り抽選等のメイン制御を行うための電子回路が配設されている。また、サブ基板５には、遊技球を発射する発射装置の制御や、賞球の払出の制御や、遊技中における各種演出等のサブ制御を行うための電子回路が配設されている。なお、図１に示す電源ボックス３等の配置は、例示に過ぎず、これに限られるものではない。
【００２２】
［電源ボックス］
次に、図２を参照して、本発明の一実施形態に係る電源ボックス３の概略構成について説明する。図２は、電源ボックス３の一例を示す概略図である。
【００２３】
電源ボックス３の形状は、背面、前面、左側面、右側面、上面、底面から成る略直方体であり、電源ボックス３には、電源ボックス３に電力を供給する外部電源（不図示）に接続するための電源コード３４が接続されている。
【００２４】
また、電源ボックス３には、その背面の左上部に電源スイッチ３１が配設される。電源スイッチ３１は、典型的にはロッカースイッチであり、スイッチの両端を交互に押すことで電源のＯＮ／ＯＦＦを切り替えるスイッチである。本実施形態では、電源コード３４が外部電源に接続されているときに、電源スイッチ３１の上端側を押すと電源がＯＮに切り替わり、電源スイッチ３１の下端側を押すと電源がＯＦＦに切り替わる。
【００２５】
また、電源ボックス３には、その上面の中央よりもやや右側面側に電源側コネクタ３２が３つ配設される。各電源側コネクタ３２は、電源ボックス３の上面に凹部として設けられ、その凹部は、背面、前面、左側面、および右側面のそれぞれに側面を有し、上面が開放された略直方体形状に形成されている。この電源側コネクタ３２には、この凹部に嵌合するように形成された凸部を有するハーネス側コネクタ４１が嵌合する。ハーネス側コネクタ４１には、遊技機１０の各種機器（メイン基板４等）に電力を供給するためのハーネス４２が接続される。また、電源側コネクタ３２の略直方体形状の凹部の側面には、電源ボックス３の電源回路と電気的に接続する電源端子（不図示）が配設される。そして、ハーネス側コネクタ４１の凸部が電源側コネクタ３２と嵌合することで、ハーネス側コネクタ４１に接続されたハーネス４２と、この電源端子が電気的に接続される。すなわち、ハーネス４２が電源側コネクタ３２と電気的に接続されることにより、ハーネス４２には、電源側コネクタ３２に規定された電力（電圧）が供給可能となる。なお、図２に示すように、本実施形態では、電源側コネクタ３２が３つ配設されるものとしたが、この数や配置は、これに限られるものではなく、例えば、複数のハーネス４２が、それぞれ、異なる電圧値に対応した各種機器に接続されるものとし、各種機器に接続される複数のハーネスのそれぞれに対応した電圧値を供給可能なように、規定された電圧値が異なる複数の電源側コネクタ３２が設けられるものとしてもよい。
【００２６】
また、電源ボックス３には、その内部の上面側近傍であって右側面側かつ背面側に、ガイド溝３３が形成される。ガイド溝３３は、背面から前面に向かう方向を長手方向とする略直方体形状の空洞であって上面が開放されており、この上面から後述するガイド車輪７６が収納されてガイド車輪７６の移動路として機能する。なお、詳細は後述するが、ガイド溝３３によって、ガイド車輪７６の移動路が規制されることによって、スライド部７が前面方向または背面方向に移動することが補助される。
【００２７】
［コネクタの構成］
次に、図３を参照して、本発明の一実施形態に係る電源側コネクタ３２の概略構成について説明する。図３は、電源側コネクタ３２の一例を示す概略図である。
【００２８】
前述したように、電源側コネクタ３２は、上面が開放された略直方体形状の凹部であり、上面が開放されていることにより、ハーネス側コネクタ４１の凸部が電源側コネクタ３２に挿入可能となっている。以下では、ハーネス側コネクタ４１の凸部が電源側コネクタ３２に挿入可能なように、電源側コネクタ３２の上面が開放されている状態のことを、「電源側コネクタ３２の開放口が露出されている状態」ということにする。
【００２９】
電源側コネクタ３２には、その背面側の側面にスリット部３２２が形成されている。スリット部３２２は、後述するガードプレート７５を挿入可能に形成されたスリットであり、具体的には、ガードプレート７５の挿入幅と、厚みに合わせて、左側面側から右側面側に向かう方向を長手方向（ガードプレート７５の幅方向）とし、上下方向を短手方向（ガードプレート７５の厚み方向）とする略長方形状に形成される。詳細は後述するが、このスリット部３２２を通してガードプレート７５が挿入されると、当該ガードプレート７５によって、開放されていた電源側コネクタ３２の上面が遮蔽されることで、ハーネス側コネクタ４１の凸部が電源側コネクタ３２に挿入不可能となる。以下では、ハーネス側コネクタ４１の凸部が電源側コネクタ３２に挿入不可能なように、電源側コネクタ３２の上面が遮蔽されている状態のことを、「電源側コネクタ３２の開放口が遮蔽されている状態」ということにする。また、以下では、電源ボックス３の上面と並行な面であってスリット部３２２が形成される高さの面を「スリット面」ということにする。
【００３０】
［電源スイッチとガードプレートの制御機構］
次に、図４、図５を参照して、本発明の一実施形態に係る、電源スイッチ３１とガードプレート７５の制御機構について説明する。図４は、電源スイッチ３１がＯＦＦに設定されているときのガードプレート７５の制御機構の一例を示す分解斜視図であり、図５は、電源スイッチ３１がＯＮに設定されているときのガードプレート７５の制御機構の一例を示す分解斜視図である。
【００３１】
図４、図５に示すように、電源スイッチ３１は、スイッチ本体部３１１と、支軸３１２と、回転部３１３と、ばね部３１４と、押下部３１５と、可動片３１６と、接点部３１７と、基板３１８と、支柱３１９と、ＯＦＦ端子３２０と、ＯＮ端子３２１と、から構成される。スイッチ本体部３１１の上端部または下端部が押下されると、スイッチ本体部３１１は、支軸３１２を支点として回転する。具体的には、スイッチ本体部３１１は、上端部が押下されると支軸３１２を支点として時計回りに回転し、下端部が押下されると支軸３１２を支点として反時計回りに回転する。また、回転部３１３は、スイッチ本体部３１１と連結し、その回転軸を支軸３１２と同一とすることにより、スイッチ本体部３１１の回転に伴って、支軸３１２を支点として回転する。また、押下部３１５は、略前面方向に付勢するばね部３１４を介してスイッチ本体部３１１に取り付けられており、可動片３１６を略前面方向に付勢する。可動片３１６は、その中心が、基板３１８に取り付けられた支柱３１９に当接し、可動片３１６の上端部が押下部３１５によって略前面方向に付勢されると、支柱３１９に当接した中心を支点に可動片３１６が時計回りに回転することにより可動片３１６の上端部に取り付けられた接点部３１７が、基板３１８に取り付けられたＯＦＦ端子３２０と電気的に接続される。このＯＦＦ端子３２０は、電源回路に接続されており、接点部３１７がＯＦＦ端子３２０に接続されることにより電源ボックス３への電力の供給は中止される。一方、可動片３１６の下端部が押下部３１５によって略前面方向に付勢されると、支柱３１９に当接した中心を支点に可動片３１６が反時計回りに回転することにより可動片３１６の下端部に取り付けられた接点部３１７が、基板３１８に取り付けられたＯＮ端子３２１と電気的に接続される。このＯＮ端子３２１は、電源回路に接続されており、接点部３１７がＯＮ端子３２１に接続されることにより電源ボックス３への電力の供給が開始される。なお、電源ボックス３への電力供給が中止される契機は、接点部３１７がＯＦＦ端子３２０に電気的に接続されることではなく、接点部３１７とＯＮ端子３２１との電気的な接続が解除されることとしてもよい。
【００３２】
以上のことから、図４に示すように、電源スイッチ３１（スイッチ本体部３１１）の下端部を押下した状態では、可動片３１６の上端部が押下部３１５によって略前面方向に付勢されることにより接点部３１７がＯＦＦ端子３２０と電気的に接続され、電源ボックス３の電源がＯＦＦの状態となる。一方、図５に示すように、電源スイッチ３１の上端部を押下した状態では、可動片３１６の下端部が押下部３１５によって略前面方向に付勢されることにより接点部３１７がＯＮ端子３２１と電気的に接続されることにより、電源ボックス３の電源がＯＮの状態となる。
【００３３】
ところで、本実施形態では、電源スイッチ３１の上端部および下端部の押下によって電源ボックス３の電源のＯＮ／ＯＦＦを切り替えるだけではなく、ガードプレート７５の移動制御も行われる。以下、図４、図５を参照して具体的に説明する。
【００３４】
図４、図５に示すように、電源スイッチ３１のスイッチ本体部３１１に連結された回転部３１３は、スライドクランク６と連結されることにより、スライドクランク６の回転部としても機能する。具体的には、スライドクランク６は、連結板６１と、可動軸６２と、スライド板６３とスライド軸６４と、スライド溝６５と、基部６６と、から構成され、連結板６１は、回転部３１３に連結固定されることにより、回転部３１３の回転に応じて回転する。可動軸６２は、スライド板６３が連結板６１に対して可動するように、スライド板６３の一端と連結板６１の一端とを連結し、スライド軸６４は、スライド板６３の他端に配設され、スライド板６３の移動に応じてスライド溝６５内を移動可能に構成される。スライド溝６５は、基部６６において設けられ、前面側から背面側に向かう方向を長手方向とする空洞部（溝）であるため、スライド軸６４の移動がスライド溝６５内に規制されることによって、スライド軸６４は、前面方向または背面方向へと移動することになる。
【００３５】
いま、図４に示すように、電源スイッチ３１（スイッチ本体部３１１）の下端部を押下した状態（電源がＯＦＦの状態）においては、スライド軸６４は、スライド溝６５の背面側の端部に位置する。この状態から、電源スイッチ３１（スイッチ本体部３１１）の上端部を押下する（電源をＯＮにする）と、図５に示すように、回転部３１３が時計回りに回転することにより、回転部３１３に連結固定された連結板６１も回転部３１３の回転軸を中心に回転し、これにより、可動軸６２によって連結されたスライド板６３が可動し、スライド軸６４がスライド溝６５内を前面方向に移動する。すなわち、電源スイッチ３１の上端部が押下されることによって電源ボックス３の電源がＯＦＦからＯＮに切り替わると、スライド軸６４は、スライド溝６５内を前面方向に移動し、反対に電源ボックス３の電源がＯＮからＯＦＦに切り替わると、反対の制御が行われることにより、スライド軸６４は、スライド溝６５内を背面方向に移動することにより、図４に示す元の位置に戻ることになる。
【００３６】
また、図４、図５に示すように、スライド軸６４は、スライド部７と可動に連結されることにより、スライド部７をスライド移動させるトリガーとしても機能する。具体的には、スライド部７は、Ｌ字プレート７１と、ばね取り付けプレート７２と、ばね部７３と、連結プレート７４と、ガードプレート７５と、ガイド車輪７６と、から構成され、Ｌ字プレート７１は、スライド軸６４と可動に連結されることにより、スライド軸６４の移動に応じて移動する。Ｌ字プレート７１の一端には、ガイド車輪７６が取り付けられ、このガイド車輪７６は、前述したガイド溝３３内を移動するように規制される。これにより、Ｌ字プレート７１は、スライド軸６４が回転しても回転方向に移動することはなく、その移動方向は、前面方向と背面方向に規制される。また、Ｌ字プレート７１の所定の位置にはＬ字プレート７１と略垂直になるように、ばね取り付けプレート７２が配設され、ばね取り付けプレート７２の一端には、背面方向に圧縮可能なばね部７３の一端が取り付けられ、ガードプレート７５に連結された連結プレート７４が、ばね部７３の他端に取り付けられる。これにより、ガードプレート７５は、背面方向に付勢されたときに、ばね部７３を圧縮することにより背面方向に移動可能となる。なお、ガードプレート７５は、略長方形状の板状物（好ましくは、絶縁性かつ高剛性の板状樹脂）であり、スリット部３２２を通して電源側コネクタ３２内に挿入可能であり、かつ、挿入されたときに電源側コネクタ３２と嵌合する形状（例えば、電源側コネクタ３２の開放口の形状と同じ形状）に形成されている。これにより、ガードプレート７５がスリット部３２２を通して電源側コネクタ３２と嵌合すると、電源側コネクタ３２の上面が遮蔽される。なお、Ｌ字プレート７１の形状や、ばね取り付けプレート７２の取り付け位置や、ガイド車輪７６の取り付け位置や、ガイド溝３３の設置位置等は、ガードプレート７５がスリット面内を移動し、かつ、図５に示すようにガードプレート７５が前面方向に移動したときに、スリット部３２２に挿入されて電源側コネクタ３２の上面を遮蔽する位置に適宜調整される。
【００３７】
以上のことから、図４、図５を参照して説明したように、電源スイッチ３１（スイッチ本体部３１１）の下端部を押下した状態（電源がＯＦＦの状態）から、電源スイッチ３１（スイッチ本体部３１１）の上端部を押下する（電源をＯＮにする）と、スライド軸６４がスライド溝６５内を前面方向に移動することに伴って、ガードプレート７５がスリット面内を前面方向に移動する。すなわち、電源スイッチ３１の上端部が押下されることによって電源ボックス３の電源がＯＦＦからＯＮにされると、ガードプレート７５は、スリット面内を前面方向に移動し、反対に電源ボックス３の電源がＯＮからＯＦＦにされると、反対の制御が行われることにより、ガードプレート７５は、スリット面内を背面方向に移動することになる。
【００３８】
［露出位置と遮蔽位置］
次に、図６を参照して、本発明の一実施形態において、電源ボックス３の電源がＯＦＦの状態のときと、ＯＮの状態のときのガードプレート７５の位置について説明する。図６（１）は、電源ボックス３の電源がＯＦＦの状態のときのガードプレート７５の位置を示し、図６（２）は、電源ボックス３の電源がＯＮの状態のときのガードプレート７５の位置を示す。
【００３９】
図６（１）に示すように、電源ボックス３の電源がＯＦＦのときには、電源スイッチ３１の下端部が押下されているので、図４に示されるように、スライド軸６４は、スライド溝６５の背面側の端部に位置し、このため、スライド部７（Ｌ字プレート７１等）が背面側に位置することでガードプレート７５も背面側に位置し、この結果、電源側コネクタ３２の開放口が露出されている状態となる。このため、ハーネス側コネクタ４１の凸部が電源側コネクタ３２に挿入可能となる。なお、図６（１）に示すように、電源側コネクタ３２の開放口が露出されているときのガードプレート７５の位置を露出位置という。
【００４０】
図６（２）に示すように、電源ボックス３の電源がＯＮのときには、電源スイッチ３１の上端部が押下されているので、図５に示されるように、スライド軸６４は、スライド溝６５の前面側の端部に位置し、このため、スライド部７（Ｌ字プレート７１等）が前面側に移動することでガードプレート７５はスリット部３２２を通して電源側コネクタ３２内に挿入されて電源側コネクタ３２と嵌合し、この結果、電源側コネクタ３２の開放口が遮蔽されている状態となる。このため、ハーネス側コネクタ４１の凸部が電源側コネクタ３２に挿入不可能となる。なお、図６（２）に示すように、電源側コネクタ３２の開放口が遮蔽されているときのガードプレート７５の位置を遮蔽位置という。
【００４１】
以上のように、本実施形態では、電源ボックス３の電源のＯＮ／ＯＦＦを切り替える電源スイッチ３１の押下に伴って、ガードプレート７５が、スリット面内を露出位置と遮蔽位置との間で移動することにより、電源側コネクタ３２の開放口の露出／遮蔽の状態が切り替わる。具体的には、電源ボックス３の電源がＯＦＦからＯＮに切り替わると、ガードプレート７５がスリット面内を露出位置から遮蔽位置に移動することにより、電源側コネクタ３２の開放口が遮蔽されて、ハーネス側コネクタ４１の凸部が電源側コネクタ３２に挿入不可能となる。このため、電源ボックス３の電源がＯＮの状態のときに誤ってハーネス４２（ハーネス側コネクタ４１）を電源側コネクタ３２と電気的に接続することを防止することができる。一方、電源ボックス３の電源がＯＮからＯＦＦに切り替わると、ガードプレート７５がスリット面内を遮蔽位置から露出位置に移動することにより、電源側コネクタ３２の開放口が露出されて、ハーネス側コネクタ４１の凸部が電源側コネクタ３２に挿入可能となる。このため、電源ボックス３の電源がＯＦＦの状態のときには、ハーネス４２（ハーネス側コネクタ４１）を電源側コネクタ３２と電気的に接続することが可能となる。
【００４２】
次に、図７を参照して、本発明の一実施形態において、電源ボックス３の電源がＯＦＦのときにハーネス側コネクタ４１の凸部が電源側コネクタ３２に挿入され、その後、電源ボックス３の電源がＯＮにされたときのガードプレート７５の制御について説明する。
【００４３】
図７に示すように、ハーネス側コネクタ４１の凸部が電源側コネクタ３２に挿入されると、電源側コネクタ３２の凹部がハーネス側コネクタ４１の凸部によって埋められるため、スリット部３２２を通してガードプレート７５を挿入することはできない。しかし、電源ボックス３の電源がＯＦＦからＯＮに切り替わると、図６（２）に示した場合と同様に、スライド部７（Ｌ字プレート７１等）が前面側に移動するため、ガードプレート７５も前面側に移動するように制御される。しかし、ガードプレート７５が、前面側に移動することで、スリット部３２２を通して、電源側コネクタ３２内に挿入されたハーネス側コネクタ４１の凸部に接触すると、これが壁となり、剛性の高いガードプレート７５は背面側に付勢される。すると、ばね部７３が、背面方向に圧縮されることで、ガードプレート７５は、Ｌ字プレート７１に対して相対的に背面方向に移動することが可能となる。これにより、ハーネス側コネクタ４１の凸部が電源側コネクタ３２に挿入された後に、電源ボックス３の電源がＯＮにされても、ガードプレート７５の移動制御を不都合なく行うことが可能となる。なお、この状態のときに、ハーネス側コネクタ４１を抜くと、ばね部７３が伸張することにより、ガードプレート７５は、本来の遮蔽位置に移動し、これにより、電源側コネクタ３２の開放口が遮蔽されている状態となる。
【００４４】
なお、上記した実施形態では、複数の電源側コネクタ３２のうち、特定の１つの電源側コネクタ３２の開放口が、ガードプレート７５により露出／遮蔽されるものとした。この特定の１つの電源側コネクタ３２は、どのようなものであってもよいが、例えば、より高電圧（例えば１００Ｖ）の電力が供給される電源側コネクタ３２であるとしてもよい。このようにすると、例えば低電圧（例えば２４Ｖ）の電力を必要とする機器に接続されたハーネス４２を誤って高電圧の電源側コネクタ３２に接続することで機器を故障させてしまうというリスクを回避することが可能となる。
【００４５】
また、特定の１つの電源側コネクタ３２ではなく、複数の電源側コネクタ３２の全てがガードプレート７５により露出／遮蔽されるものとしてもよい。具体的には、図８に示すように、３つの電源側コネクタ３２のそれぞれに前述したスリット部３２２が設けられ、当該スリット部３２２のそれぞれに挿入可能なように、３つのガードプレート７５が設けられ、これらの３つのガードプレート７５は、Ｌ字プレート７１によって互いに連動するように結合されるものとすればよい。なお、この際、ガイド溝３３は前面方向に拡張され、当該ガイド溝３３を、各ガードプレート７５に対応したガイド車輪７６が移動可能とすればよい。このようにすると、電源ボックス３の電源がＯＦＦからＯＮに切り替わると、各ガードプレート７５がスリット面内を露出位置から遮蔽位置に移動することにより、全ての電源側コネクタ３２の開放口が遮蔽され、誤ってハーネス４２（ハーネス側コネクタ４１）を電源側コネクタ３２と電気的に接続することを防止することができる。一方、電源ボックス３の電源がＯＮからＯＦＦに切り替わると、各ガードプレート７５がスリット面内を遮蔽位置から露出位置に移動することにより、全ての電源側コネクタ３２の開放口が露出されて、ハーネス４２（ハーネス側コネクタ４１）をいずれかの電源側コネクタ３２と電気的に接続することが可能となる。
【００４６】
また、図８では、複数の電源側コネクタ３２の開放口を遮蔽するためにそれぞれの電源側コネクタ３２に対応した複数のガードプレート７５を設けるものとしたが、複数の電源側コネクタ３２の開放口を遮蔽する１つのガードプレートが設けられるものとしてもよい。なお、この場合には、電源側コネクタ３２の配置によっては、構成されるガードプレートはより大きな面積を占有するものとなるが、電源側コネクタ３２に設けられるスリット部３２２を前面側の側面のみならず、他の側面においても設けるものとすればよい。このようにすることで、ガードプレートがスリット面を移動し易くなるため、ガードプレートの設置位置の規制を低減させることが可能となる。
【００４７】
［変形例］
なお、上記した実施形態では、電源スイッチ３１の上端部および下端部の押下によってスライド軸６４が可動し、このスライド軸６４の可動をトリガーとしてスライド部７が移動し、ガードプレート７５が移動するものとした。すなわち、上記した実施形態では、電源スイッチ３１の押下操作がガードプレート７５の移動動作に変換されるものとした。しかし、変形例においては、電源ボックス３に設けられるコンピュータによってガードプレート７５の移動が制御されるものとしてもよい。以下、図９、図１０を参照して、具体的に説明するが、変形例においても、ガードプレート７５と電源側コネクタ３２の構成は、上記した実施形態と同様であるものとする。
【００４８】
図９は、電源ボックス３の機能的構成例を示す機能ブロック図である。図９に示すように、電源ボックス３は、ＣＰＵ（Ｃｅｎｔｒａｌ  Ｐｒｏｃｅｓｓｉｎｇ  Ｕｎｉｔ）３０１と、検知部３０２と、駆動部３０３と、を備えている。
【００４９】
ＣＰＵ３０１は、ＲＯＭ（不図示）に記録されているプログラム等に従って、各種の処理を実行する。また、ＣＰＵ３０１は、判断部３０１１、および制御部３０１２として機能する。
【００５０】
検知部３０２は、電源ボックス３の電源回路における電気信号に基づいて、電源ボックス３の電源がＯＮのときにはＯＮ信号を検知し、電源ボックス３の電源がＯＦＦのときにはＯＦＦ信号を検知する（ＯＮ信号を検知しない）。
【００５１】
ＣＰＵ３０１の判断部３０１１は、検知部３０２が検知するＯＮ信号に基づいて、電源ボックス３の電源がＯＦＦからＯＮになったか、あるいは、ＯＮからＯＦＦになったかを判断する。
【００５２】
ＣＰＵ３０１の制御部３０１２は、判断部３０１１の判断結果に基づいて、駆動部３０３に駆動信号を送信する。具体的には、判断部３０１１により、電源ボックス３の電源がＯＦＦからＯＮになったと判断されると、制御部３０１２は、駆動信号として遮蔽信号を送信する。一方、判断部３０１１により、電源ボックス３の電源がＯＮからＯＦＦになったと判断されると、制御部３０１２は、駆動信号として露出信号を送信する。
【００５３】
駆動部３０３は、典型的にはモーター等の動力源であり、制御部３０１２から遮蔽信号を受信すると、ガードプレート７５を露出位置から遮蔽位置へ移動制御することで、電源側コネクタ３２の開放口が遮蔽されている状態となり、制御部３０１２から露出信号を受信すると、ガードプレート７５を遮蔽位置から露出位置へ移動制御することで、電源側コネクタ３２の開放口が露出されている状態となる。なお、ガードプレート７５の移動制御はどのように実現されてもよいが、例えば、駆動部３０３がスライド運動を駆動することにより、ガードプレート７５がスリット面内を遮蔽位置と露出位置との間でスライド移動可能に制御されるものとすればよい。
【００５４】
次に、図１０を参照して、このような機能的構成を有する電源ボックス３のＣＰＵ３０１が実行する移動制御処理について説明する。図１０は、ＣＰＵ３０１が実行する移動制御処理の流れを説明するフローチャートである。なお、図１０に示す処理は、電源ボックス３に電源が投入されてから電源が遮断された直後まで所定時間（例えば、３０ｍｓｅｃ）毎に繰り返し実行される。
【００５５】
ステップＳ１０１において、ＣＰＵ３０１の判断部３０１１は、検知部３０２が検知するＯＮ信号に基づいて、電源ボックス３の電源がＯＦＦからＯＮになったか否かを判断する。この判断がＹＥＳの場合には、処理はステップＳ１０２に移り、この判断がＮＯの場合には、処理はステップＳ１０３に移る。
【００５６】
ステップＳ１０２において、ＣＰＵ３０１の制御部３０１２は、駆動部３０３に対して駆動信号として遮蔽信号を送信することで、ガードプレート７５を露出位置から遮蔽位置へ移動させる。そして移動制御処理は終了する。
【００５７】
ステップＳ１０３において、ＣＰＵ３０１の判断部３０１１は、検知部３０２が検知するＯＮ信号に基づいて、電源ボックス３の電源がＯＮからＯＦＦになったか否かを判断する。この判断がＹＥＳの場合には、処理はステップＳ１０４に移り、この判断がＮＯの場合には、移動制御処理は終了する。
【００５８】
ステップＳ１０４において、ＣＰＵ３０１の制御部３０１２は、駆動部３０３に対して駆動信号として露出信号を送信することで、ガードプレート７５を遮蔽位置から露出位置へ移動させる。そして移動制御処理は終了する。
【００５９】
なお、上記した移動制御処理において、ステップＳ１０３、ステップＳ１０４の処理は、電源ボックス３に供給される電力が遮断されることにより電圧が低下したことが検出されてから電圧が「０」になるまでの期間において実行されるものしてもよいし、電源ボックス３に電力が供給されている間に予備電源に電力が蓄電されるものとし、この予備電源が用いられることで実行されるものとしてもよい。
【００６０】
以上のように、変形例においては、電源ボックス３に設けられるコンピュータ（ＣＰＵ３０１）によってガードプレート７５の移動が制御されるため、より確実に、電源ボックス３の電源がＯＮの状態のときに誤ってハーネス４２を電源側コネクタ３２と電気的に接続することを防止することができる。
【００６１】
以上、本発明の一実施形態に係る遊技機１０について説明したが、本発明は上述した実施形態に限るものではない。また、本実施形態に記載された効果は、本発明から生じる最も好適な効果を列挙したに過ぎず、本発明による効果は、本実施形態に記載されたものに限定されるものではない。
【００６２】
また、上記した実施形態では、図４、図５を参照して説明したように、電源スイッチ３１の押下操作は、スライドクランク６とスライド部７とによって、ガードプレート７５の移動動作（スライド移動）に変換されるものとしたが、電源スイッチ３１の押下操作がガードプレート７５の移動動作に変換される機構であれば、これに限られるものではない。また、ガードプレート７５の露出位置から遮蔽位置への移動方式は、電源側コネクタ３２の開放口を遮蔽するものであればどのようなものであってもよく、スライド移動に限らず、例えば回転移動であってもよい。
【００６３】
また、上記した実施形態では、図６を参照して説明したように、ガードプレート７５は、スリット面内を露出位置から遮蔽位置に移動し、スリット部３２２を通して電源側コネクタ３２内に挿入されることにより、電源側コネクタ３２の開放口が遮蔽されている状態になるものとした。しかし、電源側コネクタ３２の開放口が遮蔽されるのであれば、ガードプレート７５は、スリット面内を移動するものに限らず、例えば、電源ボックス３の上面を移動するものであってもよい。
【００６４】
また、上記した実施形態では、図７を参照して説明したように、ハーネス側コネクタ４１の凸部が電源側コネクタ３２に挿入された後に、電源ボックス３の電源がＯＮにされると、ばね部７３が、背面方向に圧縮されることで、剛性の高いガードプレート７５は、Ｌ字プレート７１に対して相対的に背面方向に移動するものとした。しかし、ガードプレート７５を、例えば弾性変形可能な弾性樹脂で成形することにより、ばね部７３を設けないようにしてもよい。このようにした場合、ガードプレート７５が、スリット部３２２を通して、電源側コネクタ３２内に挿入されたハーネス側コネクタ４１の凸部に接触すると、弾性変形することにより、ガードプレート７５の移動制御を不都合なく行うことが可能となる。
【００６５】
また、上記した変形例において、図９に示す機能ブロック図は、例示に過ぎず、上述したガードプレート７５の移動制御を行うことができる機能が電源ボックス３に備えられていれば他の機能構成であってもよい。
【００６６】
また、上記した実施形態および変形例では、電源ボックス３の電源がＯＮであるかＯＦＦであるかに応じてガードプレート７５が移動制御されるものとしたが、ガードプレート７５の移動制御の契機は、これに限られるものではない。具体的には、複数の電源側コネクタ３２のうち特定の電源側コネクタ３２にハーネス側コネクタ４１が挿入されることを契機に、他の電源側コネクタ３２に対してガードプレート７５が露出位置から遮蔽位置に移動するものとしてもよい。なお、この移動制御は、上記した実施形態において、ハーネス側コネクタ４１の挿入操作をガードプレート７５の移動操作に変換する機構を適用することで実現してもよいし、変形例において、ＣＰＵ３０１が、ハーネス側コネクタ４１が挿入されたことを例えばセンサによって検知することで実現するものとしてもよい。このようにすると、ひとたび特定の電源側コネクタ３２に対してハーネス４２が接続されると、他の電源側コネクタ３２にはハーネス４２を接続することができなくなるので、電源ボックス３に対して不必要なハーネス４２を誤って接続することにより電源ボックス等を故障させるリスクを軽減させることができる。
【００６７】
また、上記した実施形態および変形例においては、遊技機１０として、いわゆるパチンコ遊技機を用いて説明したが、これに限らず、ハーネス４２が接続されることで各種装置に電力を供給する電源ボックス３を備える他の遊技機（例えば、いわゆるパチスロ機や、ゲーミングマシーン、アミューズメントマシーン等）であってもよい。
【００６８】
以上に本実施形態の特徴やその変形例の特徴等について説明したが、これらの特徴を適切に組み合わせてもよいことは言うまでもない。
【符号の説明】
【００６９】
１  筐体
２  背面扉
１０  遊技機
３  電源ボックス
４  メイン基板
５  サブ基板
６  スライドクランク
７  スライド部
３１  電源スイッチ
３２  電源側コネクタ
３３  ガイド溝
３４  電源コード
４１  ハーネス側コネクタ
４２  ハーネス
３０１  ＣＰＵ
３０２  検知部
３０３  駆動部
３１１  スイッチ本体部
３１２  支軸
３１３  回転部
３１４  ばね部
３１５  押下部
３１６  可動片
３１７  接点部
３１８  基板
３１９  支柱
３２０  ＯＦＦ端子
３２１  ＯＮ端子
３２２  スリット部
６１  連結板
６２  可動軸
６３  スライド板
６４  スライド軸
６５  スライド溝
６６  基部
７１  Ｌ字プレート
７２  ばね取り付けプレート
７３  ばね部
７４  連結プレート
７５  ガードプレート
７６  ガイド車輪
３０１１  判断部
３０１２  制御部
【図１】
2018191685.tif 000003
【図２】
2018191685.tif 000004
【図３】
2018191685.tif 000005
【図４】
2018191685.tif 000006
【図５】
2018191685.tif 000007
【図６】
2018191685.tif 000008
【図７】
2018191685.tif 000009
【図８】
2018191685.tif 000010
【図９】
2018191685.tif 000011
【図１０】
2018191685.tif 000012